(57)【要約】【課題】ＰＴＰシートに収容されている収容物を容易かつ確実に取り出すことができようにするとともに、チャイルドレジスタンス機能を備えた包装体を提供する。【解決手段】包装体１は、突出部３２を嵌合させる嵌合孔５を有する第１シート２と、突出部３２の開口面に対向する位置に収容物３６の外形が収まる程度の大きさに形成された複数の帯状片１７からなる切込形成領域１５が設けられ、突出部３２からの荷重により各帯状片１７が２つの短冊片１９ａ、１９ｂに分断可能な第２シート７と、第２シート７の外側に重ねられた状態で設けられ、切込形成領域１５を覆った状態とする第３シート２０と、第３シート２０を第２シート７の外側に重ねられた状態に固定するとともに、押し込むことによって第３シート２０の固定状態を解除する開封片２３、１０と、を備える。【選択図】図２
2017165429.tif 000002
【特許請求の範囲】
【請求項１】
内部空間に収容物が収容される突出部と、前記突出部の周囲に設けられるフランジ部とを有する成形シートと、前記内部空間を塞ぐように前記成形シートの前記突出部の開口面に重ねて設けられる薄厚シートとを備えたＰＴＰシートに設けられるＰＴＰシートの包装体であって、
前記ＰＴＰシートの前記成形シート側の面に設けられるとともに、前記突出部を嵌合させる嵌合孔を有する第１シートと、
前記ＰＴＰシートの前記薄厚シート側の面に設けられるとともに、前記突出部の前記開口面に対向する位置に、前記収容物の外形が収まる程度の大きさに形成された複数の帯状片からなる切込形成領域が設けられ、前記突出部からの荷重によって前記各帯状片が２つの短冊片に分断可能な第２シートと、
前記第２シートの外側に重ねられた状態に設けられ、前記切込形成領域を覆った状態とする第３シートと、
前記第３シートを前記第２シートの外側に重ねられた状態に固定するとともに、押し込むことによって前記第３シートの固定状態を解除する開封片と、
を備える、ＰＴＰシートの包装体。
【請求項２】
前記開封片は、前記第３シート側に設けられる第１開封片と、前記第２シート側に切り離し可能に設けられる第２開封片とを備え、
前記第１開封片を前記第２開封片に接着させることにより、前記第３シートを前記第２シートの外側に重ねられた状態に固定する、
請求項１に記載のＰＴＰシートの包装体。
【請求項３】
前記第１シートには、前記第１開封片を嵌合させる切込部が設けられ、前記切込部に前記第１開封片を嵌合させた状態で、前記第１開封片が前記第２開封片に接着される、
請求項２に記載のＰＴＰシートの包装体。
【請求項４】
前記各帯状片は、先端間が分断線を介して連結された長短の２つの短冊片からなり、前記長短の短冊片が前記複数の帯状片に交互に配置されるように、前記各帯状片に前記分断線が設けられている、
請求項１〜３の何れか一項に記載のＰＴＰシートの包装体。
【請求項５】
前記第１シートには、前記嵌合孔の中央を通る折曲線が設けられ、前記第２シートには、前記切込形成領域の中央を通るとともに、前記ＰＴＰシートを介して第１シートの折曲線に重なる折曲線が設けられている、
請求項１〜４の何れか一項に記載のＰＴＰシートの包装体。
【請求項６】
一枚のブランクシートから一体的に打ち抜かれたブランクからなる、
請求項１〜５の何れか一項に記載のＰＴＰシートの包装体。
【発明の詳細な説明】
【技術分野】
【０００１】
この発明は、薬剤等の収容物を収容するＰＴＰシートの包装体に関し、とくにチャイルドレジスタンス機能を備えたＰＴＰシートの包装体に関する。
【背景技術】
【０００２】
特許文献１には、ＰＴＰシートに台紙を取り付けて包装した包装体に関して記載されている。包装体は、ＰＴＰシートに取り付けられる台紙を備える。台紙はＰＴＰシートの薄形シート側の面に取り付けられる第１側面と、ＰＴＰシートのプラスチック成形体側の面に取り付けられ第１側面に重ねられ、ＰＴＰシートを第１側面とで挟んで保持する第２側面とを備え、第１側面と第２側面には、互いに重ねられた時に互いに一致する折罫線が設けられている。第１側面には、折罫線の途中に設けられ折罫線から側方に突出して中央部分で折り返されて再び折罫線に達する切断線が設けられ、この切断線の内側で第２側面に重ねられる面には接着材が塗布されている。
【先行技術文献】
【特許文献】
【０００３】
【特許文献１】特開２０１６−１３８３９号公報
【発明の概要】
【発明が解決しようとする課題】
【０００４】
従来より、薬剤（錠剤やカプセル剤等）等の収容物を収容する技術としてＰＴＰシート（PTP:Press Through Package）が知られている。ＰＴＰシートは、透明のプラスチック板等の樹脂板を成形材料としてバキュームフォーム等の成形方法によって成形された、収容物が収容される突出部と当該突出部の周囲に設けられるフランジ部とからなる成形シートと、成形シートの突出部の内部空間を塞ぐように成形シートに重ねられて設けられるアルミシート、アルミフィルム等の薄厚シートとを備える。
【０００５】
ここでＰＴＰシートからの収容物の取り出しは、親指等で突出部を薄厚シートの方向に収容物と共に押し込んで薄厚シートを破断させることにより行うが、こうした操作にはそれなりの力が必要であり、例えば、力の弱い者や高齢者等はＰＴＰシートから上手く収容物を取り出すことができないことがある。また力を込めようとして、例えば、両手を使って薄厚シートを破断させた場合、勢い余って収容物を床等に落下させてしまい、収容物を紛失したり汚してしまったりすることがある。
【０００６】
特許文献１に記載の包装体はこうした課題の解決を図ろうとするものであるが、台紙を折り曲げてＰＴＰシートから薬剤等の収容物を取り出す操作は子供でも可能であり、例えば、薬剤の入ったＰＴＰシートを子供の手の届かないところに保管し忘れた場合、子供が台紙を折り曲げてＰＴＰシートから薬剤を取り出し、薬剤を誤飲してしまうおそれがある。
【０００７】
本発明は、このような観点からなされたもので、ＰＴＰシートに収容されている収容物を容易かつ確実に取り出すことができるとともにチャイルドレジスタンス機能を備えたＰＴＰシートの包装体を提供することを目的としている。
【課題を解決するための手段】
【０００８】
上記目的を達成するための本発明の一つは、内部空間に収容物が収容される突出部と、前記突出部の周囲に設けられるフランジ部とを有する成形シートと、前記内部空間を塞ぐように前記成形シートの前記突出部の開口面に重ねて設けられる薄厚シートとを備えたＰＴＰシートに設けられるＰＴＰシートの包装体であって、前記ＰＴＰシートの前記成形シート側の面に設けられるとともに、前記突出部を嵌合させる嵌合孔を有する第１シートと、前記ＰＴＰシートの前記薄厚シート側の面に設けられるとともに、前記突出部の前記開口面に対向する位置に、前記収容物の外形が収まる程度の大きさに形成された複数の帯状片からなる切込形成領域が設けられ、前記突出部からの荷重によって前記各帯状片が２つの短冊片に分断可能な第２シートと、前記第２シートの外側に重ねられた状態に設けられ、前記切込形成領域を覆った状態とする第３シートと、前記第３シートを前記第２シートの外側に重ねられた状態に固定するとともに、押し込むことによって前記第３シートの固定状態を解除する開封片とを備えている。
【０００９】
本発明によれば、開封片を押し込んで開封片による第３シートの固定状態を解除することにより、第２シートの切込形成領域を露出させ、ＰＴＰシートの成形シートの突出部を収容物とともに薄厚シートの方向に押し込むことにより薄厚シートが破断され、突出部からの荷重によって切込形成領域の複数の帯状片の各々が長短の短冊片に分断され、収容物が複数の長短の短冊片に絡み取られる。このため、収容物を容易かつ確実に取り出すことができる。また開封片による第３シートの固定状態を解除しない限りＰＴＰシートから収容物を取り出すことができないので、子供は悪戯等によって包装体に触れてもＰＴＰシートから容易には収容物を取り出すことはできず、子供が収容物を誤飲等する事故を防ぐことができる。
【００１０】
本発明のうちの他の一つは、上記ＰＴＰシートの包装体であって、前記開封片は、前記第３シート側に設けられる第１開封片と、前記第２シート側に切り離し可能に設けられる第２開封片とを備え、前記第１開封片を前記第２開封片に接着させることにより、前記第３シートを前記第２シートの外側に重ねられた状態に固定する。
【００１１】
本発明によれば、第１開封片を第２開封片に接着させることにより、第３シートを第２シートの外側に重ねられた状態に固定することができ、第１開封片及び第２開封片を押し込むことにより、第２開封片が第２シートから切り離されて、第３シートの固定状態が解除される。このような第１開封片及び第２開封片を押し込む操作は、子供には無理な操作であり、子供が悪戯等によって包装体に触れたとしてもＰＴＰシートから収容物を容易には取り出すことができない。
【００１２】
本発明のうちの他の一つは、上記ＰＴＰシートの包装体であって、前記第１シートには、前記第１開封片を嵌合させる切込部が設けられ、前記切込部に前記第１開封片を嵌合させた状態で、前記第１開封片が前記第２開封片に接着される。
【００１３】
本発明によれば、第１開封片は、第１シートの切込部に嵌合された状態で、第２開封片に接着されているので、第１開封片を第１シートと面一にすることができ、子供が悪戯等によって第１開封片を掴んだりするのを防止することができる。
【００１４】
本発明のうちの他の一つは、上記ＰＴＰシートの包装体であって、前記各帯状片は、先端間が分断線を介して連結された長短の２つの短冊片からなり、前記長短の短冊片が前記複数の帯状片に交互に配置されるように、前記各帯状片に前記分断線が設けられている。
【００１５】
本発明によれば、薄厚シートが破断して飛び出した収容物に複数の長短の短冊片が当接し、収容物の様々な部位に様々な方向から力を作用させ、収容物を確実に保持（固定）することができる。
【００１６】
本発明のうちの他の一つは、上記ＰＴＰシートの包装体であって、前記第１シートには、前記嵌合孔の中央を通る折曲線が設けられ、前記第２シートには、前記切込形成領域の中央を通るとともに、前記ＰＴＰシートを介して第１シートの折曲線に重なる折曲線が設けられている。
【００１７】
本発明によれば、包装体の第１シート及び第２シートを折曲線に沿って折り曲げることにより、収容物の複数の長短の短冊片への絡まりを解除し収容物を容易に取り出すことができる。また片方の手で包装体の第１シート及び第２シートを折り曲げ、もう片方の手で収容物を受け取るといった操作も確実に行うことができる。
【発明の効果】
【００１８】
本発明のＰＴＰシートの包装体によれば、ＰＴＰシートに収容されている収容物を容易かつ確実に取り出すことができるとともにチャイルドレジスタンス機能を備えたＰＴＰシートの包装体を提供することができる。
【図面の簡単な説明】
【００１９】
【図１】ＰＴＰシート３０の一例を示す斜視図である。
【図２】包装体１の展開図である。
【図３】第１シート２、第２シート７、第１開封片２３、及び第２開封片１０に、糊を塗着した状態を示す図である。
【図４】第２シート７の上部にＰＴＰシート３０を載せた状態を示す図である。
【図５】第１シート２を第２シート７の方向に折り曲げ、第１シート２を第２シート７に重ねた状態を示す図である。
【図６】第３シート２０を第２シート７の方向に折り曲げ、第３シート２０を第２シート７に重ねた状態を示す図である。
【図７】第１開封片２３を第１シート２の方向に折り曲げ、第１開封片２３を第２開封片１０に重ねた状態を示す図である。
【図８】図７の正面図である。
【図９】図７の裏面図である。
【図１０】図９の正面図である。
【図１１】ＰＴＰシート３０から収容物３６を取り出す手順を説明する図である。
【図１２】第３シート２０を第２シート７から引き離した状態を示す図である。
【図１３】突出部３２を指で押し込んでいる状態を示す図である。
【図１４】収容物３６が短冊片１９ａ，１９ｂに絡み取られている様子を示す図である。
【図１５】短冊片１９ａ，１９ｂによる収容物３６の保持力が解除される様子を示す図である。
【図１６】包装体１のブランク４５の一例である。
【発明を実施するための形態】
【００２０】
以下、本発明の一実施形態を図面とともに説明する。尚、以下の説明において、同一の又は類似する構成について同一の符号を付して重複した説明を省略することがある。
【００２１】
［ＰＴＰシート］
図１に実施形態として示す包装体１が設けられるＰＴＰシート３０の一例を示している。同図に示すように、ＰＴＰシート３０は、内部空間３３に薬剤（錠剤やカプセル等）等の収容物３６を収容する略円筒状の突出部３２と、突出部３２の開口部側の周囲に一体に設けられるシート状のフランジ部３４とを有する成形シート３１と、成形シート３１の内部空間３３を塞ぐように、成形シート３１の突出部３２の開口部側の面に重ねられた状態に設けられる薄厚シート３５とを備える。尚、本例では突出部３２を略円筒状としているが、突出部３２の形状は、収容物３６の形状に応じて適宜変更可能である。
【００２２】
成形シート３１は、例えば、透明のプラスチック板等の樹脂板を成形材料として、バキュームフォーム等の成形方法によって成形したものである。薄厚シート３５は、例えば、アルミシート、アルミフィルム等の破断可能で密封性に優れた材料から形成されるシート状をなすものであり、成形シート３１のフランジ部３４の突出部３２の開口部側の面に熱圧着等の手段により接着される。薄厚シート３５には収容物３６に関する情報が記載されることもある。
【００２３】
ＰＴＰシート３０から薬剤等の収容物３６を取り出す際は、例えば、親指等で成形シート３１の突出部３２を薄厚シート３５の方向に内部空間３３に収容されている薬剤等の収容物３６とともに押し込み、薄厚シート３５を破断させるようにする。
【００２４】
尚、上記の成形シート３１は、複数の成形シート３１が破断線（ミシン目、断続的に形成された繋ぎ部分を有する切込線等）を介して平面的に連設された成形シート群から切り出されたものである。また上記の薄厚シート３５は、例えば、複数の薄厚シート３５が破断線（ミシン目、断続的に形成された繋ぎ部分を有する切込線等）を介して平面的に連設された薄厚シート群から切り出されたものである。
【００２５】
［包装体］
本実施形態のＰＴＰシート３０の包装体１は、ＰＴＰシート３０から薬剤等の収容物３６を取り出す操作を容易にする機能と、子供がＰＴＰシート３０から薬剤等の収容物３６を容易に取り出すことができないようにするチャイルドレジスタンス(ＣＲ：Child Resistance）の機能とを備える。
【００２６】
図２は包装体１の展開図である。同図に示すように、包装体１は、プラスチック製又は紙製の板材を材料として、裁断、穴開け等の加工を施すことにより、所定の幅、長さの長方形板状に形成したものである。同図に示すように、包装体１は、長さ方向の中央部に設けられる長方形板状の第１シート２と、第１シート２の一方の短辺３側（図２の右側）に連設される長方形板状の第２シート７と、第１シート２の他方の短辺３側（図２の左側）に連設される長方形板状の第３シート２０と、第３シート２０の他方の短辺２１側（図２の左側）の中央部に連設される長方形板状の第１開封片２３とを含む。尚、第２シート７は、第１シート２よりも全長がやや短く、第３シート２０は、第１シート２と全長が同一に形成されている。尚、図２においては、第１シート２、第２シート７、第３シート２０、及び第１開封片２３の裏面側を示している。
【００２７】
第１シート２と第２シート７の境界には、両シート２，７の全幅に亘るように第１折曲線２４が設けられ、第１シート２と第３シート２０との境界には、両シート２，２０の全幅に亘るように第２折曲線２５が設けられ、第３シート２０と第１開封片２３との境界には、第１開封片２３の全幅に亘るように第３折曲線２６が設けられている。第１折曲線２４、第２折曲線２５、及び第３折曲線２６は、罫線、破断線（ミシン目、断続的に形成された繋ぎ部分を有する切込線等）等によって構成される。
【００２８】
第１シート２の中央よりも左寄りの部分には、円形状の嵌合孔５が貫通した状態で設けられ、この嵌合孔５内に図１のＰＴＰシート３０の突出部３２が嵌合可能に構成されている。尚、本例では嵌合孔５を円形状としているが、嵌合孔５の形状はＰＴＰシート３０の突出部３２の形状に応じて適宜変更可能である。
【００２９】
第１シート２には、嵌合孔５の中心を通る第１シート２の短辺１３に平行な第４折曲線２７が第１シート２の全幅に亘るように設けられている。第４折曲線２７は、第１折曲線２４〜第３折曲線２６と同様に、罫線、破断線（ミシン目、断続的に形成された繋ぎ部分を有する切込線等）等によって構成される。
【００３０】
第１シート２の一方の短辺３側の中央部には、他方の短辺３側の方向に切れ込む長方形状の切込部６が貫通した状態で設けられ、この切込部６に前述した第１開封片２３が嵌合可能に構成されている。
【００３１】
第２シート７の他方の短辺８側の中央部には、周囲が破断線１１によって囲まれた第１シート２の切込部６と略同一形状の第２開封片１０が設けられ、この第２開封片１０の裏面側に第１開封片２３の裏面側が重合可能に構成されている。尚、第２開封片１０の第１折曲線２４に沿う部分には、第２シート７の一方の短辺８方向に僅かに凹む逃げ部１２が設けられ、この逃げ部１２によって第１開封片２３を第２開封片１０に重合し易くしている。破断線１１は、ミシン目、断続的に形成された繋ぎ部分を有する切込線等によって構成される。
【００３２】
第２シート７の中央よりも右寄りの部分の中央部には、収容物３６の外形が収まる程度の大きさの切込形成領域１５が設けられている。切込形成領域１５は、第２シート７の長辺９に平行な切込線１６ａ〜１６ｆを第２シート７の幅方向に所定の間隔ごとに複数設けて、隣接する切込線１６ａ〜１６ｂ、１６ｂ〜１６ｃ,１６ｃ〜１６ｄ，１６ｄ〜１６ｅ，１６ｅ〜１６ｆ間に長さ方向の両端が第２シート７に連結された帯状片１７をそれぞれ形成するとともに、各帯状片１７を中央部から第２シート７の短辺３に平行な分断線１８で左右に切り離して、長さの異なる長短の２つの短冊片１９ａ，１９ｂをそれぞれ形成したものであって、第２シート７の幅方向に長短の短冊片１９ａ，１９ｂが交互に配置されるように、各帯状片１７の中央部を分断線１８で左右に切り離している。尚、本例では、切込線１６ａ〜１６ｆを第２シート７の長辺９に平行に設け、分断線１８を第２シート７の短辺８に平行に設けているが、切込線１６ａ〜１６ｆを第２シート７の長辺９に必ずしも平行に設ける必要はなく、分断線１８を第２シート７の短辺８に必ずしも平行に設ける必要はない。
【００３３】
第２シート７には、切込形成領域１５の中心を通る第２シート７の短辺８に平行な第５折曲線２８が第２シート７の全幅に亘るように設けられている。第５折曲線２８は、第１折曲線２４〜第４折曲線２７と同様に、罫線、破断線（ミシン目、断続的に形成された繋ぎ部分を有する切込線等）等によって構成される。尚、本例では、第５折曲線２８は、切込形成領域１５の各帯状片１７の長い方の短冊片１９ａの先端よりも内側の部分（短い方の短冊片１９ｂの先端よりも外側の部分）を通るように、第２シート７に設けられている。
【００３４】
尚、第２シート７の切込形成領域１５及び第５折曲線２８は、第２シート７を第１折曲線２４に沿って折り曲げて第１シート２に重ねた際に、第１シート２の嵌合孔５に対応する位置に切込形成領域１５が配置され、第１シート２の第４折曲線２７に対応する位置に第２シート７の第５折曲線２８が配置されるように、それぞれの位置が設定されている。
【００３５】
第１シート２の裏面側の全領域、第２シート７の裏面側の切込形成領域１５の両側の領域、第１開封片２３の裏面側の全領域、第２開封片１０の裏面側の全領域には、それぞれ糊４０が塗着されている。糊４０は、糊４０同士が互いに接触した場合にのみ粘着する性質を有するものであって、例えば、天然ゴム変成樹脂を主成分とした瞬間糊等である。尚、糊４０を第１シート２の裏面側の一部の領域（嵌合孔５の周囲、切込部６の周囲等）のみに設けるように構成してもよい。また糊４０を第２シート７の裏面側の切込形成領域１５を除く全領域に設けるように構成してもよい。
【００３６】
［包装体をＰＴＰシートに取り付ける手順］
続いて、上記のように構成した包装体１をＰＴＰシート３０に取り付ける手順について説明する。
【００３７】
図３に示すように、まず包装体１を裏面側を上方に向けた状態で作業台等の平坦な面上に載置する。尚、この場合、予め、第１シート２の裏面側、第２シート７の裏面側、第１開封片２３の裏面側、及び第２開封片１０の裏面側の所定の領域にそれぞれ糊４０を塗着しておくものとする。
【００３８】
続いて、図４に示すように、第２シート７の中央にＰＴＰシート３０を成形シート３１が上になるように載置し、成形シート３１の突出部３２の中心を切込形成領域１５の中心に合わせる。尚、この際、ＰＴＰシート３０側には糊４０が塗着されていないので、ＰＴＰシート３０が第２シート７側の糊４０に粘着するようなことはない。
【００３９】
続いて、図４の状態から第１シート２を第１折曲線２４に沿って矢印方向（第２シート７の方向）に折り曲げ、図５に示すように、第１シート２の裏面側を第２シート７の裏面側に重ね合わせる。この際、ＰＴＰシート３０の突出部３２を第１シート２の嵌合孔５に嵌合させることにより、突出部３２の上部が嵌合孔５から突出した状態（指等で突出部３２を押し込み可能な状態）となる。また第２シート７の裏面側の所定の領域、第１シート２の裏面側の全領域にはそれぞれ糊４０が塗着されているので、第２シート７の裏面に第１シート２の裏面を重ね合わせることで糊４０と糊４０とが互いに接触し、糊４０の粘着力によって第１シート２と第２シート７とが接着される。また第１シート２の切込部６で囲まれた部分に第２開封片１０の裏面側が露出した状態となる。
【００４０】
続いて、図５の状態から第３シート２０を第２折曲線２５に沿って矢印方向（第２シート７の方向）に折り曲げ、図６に示すように、第３シート２０の裏面側を第２シート７の表面側に重ね合わせる。これにより、第３シート２０によって第２シート７の表面の全体、及び第２開封片１０の表面の全体が覆われる。
【００４１】
続いて、図６の状態から第１開封片２３を第３折曲線２６に沿って矢印方向（第１シート２の方向）に折り曲げ、第１開封片２３を第１シート２の切込部６に嵌合させるとともに、第１開封片２３の裏面側を切込部６に露出している第２開封片１０の裏面側に重ね合わせる（図７乃至図１０）。この場合、第１開封片２３の裏面側の全領域、第２開封片１０の裏面側の全領域には、それぞれ糊４０が塗着されているので、第１開封片２３の裏面を第２開封片１０の裏面を重ね合わせることで糊４０と糊４０とが互いに接触し、糊４０の粘着力により第１開封片２３と第２開封片１０とが接着される。これにより、第３シート２０を第２シート７の表面側に固定することができ、第３シート２０の裏面側で第２シート７の表面側を覆った状態を保つことができる。以上の手順により、ＰＴＰシート３０への包装体１の取り付けが完了することになる。
【００４２】
［収容物を取り出す手順］
続いて、以上の手順により包装体１が取り付けられたＰＴＰシート３０から収容物３６を取り出す手順について説明する。
【００４３】
まず図１１及び図１２に示すように、親指等で第１開封片２３を下方（図中矢印方向）に押し込むことにより第２開封片１０を第２シート７から切り離し、第３シート２０の第２シート７の表面側への固定状態を解除し、第３シート２０を第２シート７から引き離す。以上の操作により第２シート７の切込形成領域１５が露出（第２シート７の裏面側に露出）する。
【００４４】
続いて、図１３に示すように、第１シート２の嵌合孔５から突出しているＰＴＰシート３０の突出部３２を親指（同図では両手の親指）等で第２シート７の方向（図中矢印方向）に押し込む。これにより、突出部３２の内部空間３３に収容されていた収容物３６が第２シート７側に押し出される。
【００４５】
ここで図１４に示すように、第２シート７の側に押し出されて薄厚シート３５から第２シート７側に飛び出した収容物３６は、薄厚シート３５の面側に重ねされている第２シート７の複数の帯状片１７の短冊片１９ａ，１９ｂに絡み取られる。この場合、複数の帯状片１７の短冊片１９ａ，１９ｂは、長短の短冊片１９ａ，１９ｂが第２シート７の幅方向に交互に配置されるように構成されているので、薄厚シート３５が破断して取り出された収容物３６には、複数の長短の短冊片１９ａ，１９ｂが収容物３６の様々な部位に様々な方向から当接し、収容物３６が複数の長短の短冊片１９ａ，１９ｂによって落下や横ずれがしにくい状態で確実に保持（固定）される。尚、複数の長短の短冊片１９ａ，１９ｂは、薄厚シート３５が破断して飛び出した収容物３６の運動エネルギーを吸収する緩衝体としても機能する。
【００４６】
続いて、図１５に示すように、包装体１の切込形成領域１５が存在する側が頂部となるように、包装体１を第４折曲線２７及び第５折曲線２８に沿って折り曲げる。これにより、長短の短冊片１９ａ，１９ｂの先端間に隙間が形成され、長短の短冊片１９ａ，１９ｂによる収容物３６の保持力が解除され、長短の短冊片１９ａ，１９ｂを引っ掻いたり、こじ開けたりすることなく、収容物３６を長短の短冊片１９ａ，１９ｂ間から容易に取り出すことができる。尚、同図に示すように、包装体１は、例えば、片方の手だけで容易に折り曲げることができ、もう片方の手の掌で容易かつ確実に収容物３６を受け取ることができる。
【００４７】
以上に説明したように、本実施の形態の包装体１にあっては、第１開封片２３を押し込んで第２開封片１０を第２シート７から切り離さない限り、第３シート２０で第２シート７の表面側を覆った状態を解除することができず（チャイルドレジスタンス機能）、子供が悪戯等によって包装体１やＰＴＰシート３０の突出部３２等に触れても、ＰＴＰシート３０の突出部３２から収容物３６を容易に取り出すことはできない。このため、子供がＰＴＰシート３０から取り出した収容物３６を誤飲する事故等を確実に防ぐことができる。
【００４８】
また包装体１が取り付けられたＰＴＰシート３０から収容物３６を取り出す際は、収容物３６が薄厚シート３５の面側に重ねられている第２シート７の複数の長短の短冊片１９ａ，１９ｂに絡み取られるので、収容物３６を床等に落下等させてしまうことがなく、ユーザは収容物３６を容易かつ確実に取り出すことができる。また薄厚シート３５が破断することによって飛び出した収容物３６には、複数の長短の短冊片１９ａ，１９ｂが様々な方向から当接して収容物３６の様々な部位に様々な方向から力が作用するので、収容物３６を確実に保持（固定）することができる。
【００４９】
また包装体１を第４折曲線２７及び第５折曲線２８に沿って折り曲げることで、収容物３６への複数の長短の短冊片１９ａ，１９ｂの絡まりを容易に解除することができ、収容物３６を容易に取り出すことができる。このため、例えば、片方の手で包装体１を折り曲げ、もう片方の手で収容物３６を受け取るといった操作も確実に行うことができる。またＰＴＰシート３０からの収容物３６の取り出しを、薄厚シート３５を破断させて収容物３６を取り出す操作と、複数の長短の短冊片１９ａ，１９ｂの絡まりを解除する操作との２つのステップで段階的に行うように構成したので、ユーザにとって操作が理解しやすく、ＰＴＰシート３０から収容物３６を容易かつ確実に取り出すことができる。
【００５０】
また第１シート２と第２シート７の接着を、相互に接触した場合にのみ粘着する糊４０を用いて行うようにしたので、ＰＴＰシート３０に糊４０が付着するのを防止することができ、包装体１のＰＴＰシート３０への取り付けに要する時間と手間を削減することができる。また包装体１を廃棄する際の部材の分別も容易に行うことができる。
【００５１】
ところで、以上に説明した包装体１は、例えば、図１６に示すブランク４５を用いることで効率よく製造することができる。同図に示すブランク４５は、ブランクシートを材料として、ブランクシートに打ち抜き加工を施すことにより長方形状に形成したものである。ブランク４５には、ブランク４５の長さを向く平行な２つの破断線４６が全長に亘って設けられ、これら破断線４６によって、ブランク４５は、第１領域４７、第２領域４８、及び第３領域４９の３つの領域に区画されている。これらの３つの領域は、夫々、独立して上記の包装体１を構成する。尚、この例では３つの領域としたが、ブランク４５を２つの領域、又は４つ以上の領域に区画してもよい。
【００５２】
以上の説明は、本発明の理解を容易にするためのものであり、本発明を限定するものではない。本発明は、その趣旨を逸脱することなく、変更、改良され得ると共に、本発明にはその等価物が含まれる。
【符号の説明】
【００５３】
１  包装体、２  第１シート、３  短辺、４  長辺、５  嵌合孔、６  切込部、７  第２シート、８  短辺、９  長辺、１０  第２開封片、１１  破断線、１２  逃げ部、１５  切込形成領域、１６ａ〜１６ｆ  切込線、１７  帯状片、１８  分断線、１９ａ  短冊片（長い）、１９ｂ  短冊片（短い）、２０  第３シート、２１  短辺、２２  長辺、２３  第１開封片、２４  第１折曲線、２５  第２折曲線、２６  第３折曲線、２７  第４折曲線、２８  第５折曲線、３０  ＰＴＰシート、３１  成形シート、３２  突出部、３３  内部空間、３４  フランジ部、３５  薄厚シート、３６  収容物、４０  糊
【図１】
2017165429.tif 000003
【図２】
2017165429.tif 000004
【図３】
2017165429.tif 000005
【図４】
2017165429.tif 000006
【図５】
2017165429.tif 000007
【図６】
2017165429.tif 000008
【図７】
2017165429.tif 000009
【図８】
2017165429.tif 000010
【図９】
2017165429.tif 000011
【図１０】
2017165429.tif 000012
【図１１】
2017165429.tif 000013
【図１２】
2017165429.tif 000014
【図１３】
2017165429.tif 000015
【図１４】
2017165429.tif 000016
【図１５】
2017165429.tif 000017
【図１６】
2017165429.tif 000018